(57)【要約】【課題】本発明は、光ディスクを装着する際に、部材の変移量が少なくても容易に光ディスクの装着／脱着が可能な電子機器を提供することを目的とする。【解決手段】筐体と、筐体から出没自在に設けられ光ディスクの挿入口となるスリット部を備えた光ディスク挿入部と、筐体に固定され光ディスク挿入部に挿入された光ディスクを回転させる回転手段と、筐体に移動自在に設けられ光ディスクに光を照射することによって情報を記録するか再生の少なくとも一方を行う光ピックアップ部とを備え、光ディスク挿入部を筐体から突出させた状態で光ディスクを挿入し、ディスク挿入部が筐体に収納された後に、光ディスクは回転手段に装着される電子機器であって、光ディスク挿入部が筐体から突出した時にスリット部が表出する構成とした。【選択図】  図３
2004341907.tif 000002
【特許請求の範囲】
【請求項１】
筐体と、前記筐体から出没自在に設けられ光ディスクの挿入口を備えた光ディスク挿入部と、前記筐体に固定され前記光ディスク挿入部に挿入された光ディスクを回転させる回転手段と、前記筐体に移動自在に設けられ光ディスクに光を照射することによって情報を記録するか再生の少なくとも一方を行う光ピックアップ部とを備え、前記光ディスク挿入部を前記筐体から突出させた状態で光ディスクを挿入し、前記ディスク挿入部が前記筐体に収納された後に、光ディスクは前記回転手段に装着される電子機器であって、光ディスク挿入部が筐体から突出した時にディスク挿入口が表出することを特徴とする電子機器。
【請求項２】
筐体と、前記筐体から出没自在に設けられた光ディスク挿入部と、前記筐体に固定され前記光ディスク挿入部に挿入された光ディスクを回転させる回転手段と、前記筐体に移動自在に設けられ光ディスクに光を照射することによって情報を記録するか再生の少なくとも一方を行う光ピックアップ部とを備え、前記光ディスク挿入部を前記筐体から突出させた状態で光ディスクを挿入し、前記ディスク挿入部が前記筐体に収納された後に、光ディスクは前記回転手段に装着され、前記ディスク挿入部の最大の突出量は筐体の表面から７ｍｍ〜３２ｍｍとしたことを特徴とする電子機器。
【請求項３】
ディスク挿入部のディスク挿入側と反対側において筐体に回動自在に取り付けられていることを特徴とする請求項１，２いずれか１記載の電子機器。
【請求項４】
筐体は、第１の筐体と第２の筐体を連結させて構成され、前記第１の筐体には表示部を設け、第２の筐体には光ディスク挿入部，所定のデータなどを入力する入力部，各部を制御する制御部を有した回路基板が設けられていることを特徴とする請求項１，２いずれか１記載の電子機器。
【請求項５】
光ディスク挿入部に第１の検知手段を設けるとともに、光ディスクを搬送する搬送手段とを備え、前記光ディスク挿入部に所定量光ディスクが挿入されたことを前記第１の検知手段にて検知すると、前記搬送手段にて光ディスクを前記光ディスク挿入部に収納することを特徴とする請求項１，２いずれか１記載の電子機器。
【請求項６】
筐体内に光ディスク挿入部を前記筐体から出没自在に移動させる移動手段を備え、光ディスクが前記光ディスク挿入部に所定の状態で挿入されたことを第２の検知手段で検知したときに、前記移動手段にて前記ディスク挿入部を前記筐体内に収納させることを特徴とする請求項５記載の電子機器。
【発明の詳細な説明】
【０００１】
【発明の属する技術分野】
本発明は、パーソナルコンピュータなどの電子機器に関するもので、特にノートブックパソコンなどのモバイル型の電子機器に関するものである。
【０００２】
【従来の技術】
図９は従来の電子機器を示す斜視図である。
【０００３】
図９において、１は電子機器で、電子機器１は筐体２と筐体３を有している。筐体２には、液晶ディスプレイなどの画像やキャラクタを表示する表示部４が設けられている。筐体３には、データなどを入力するキーボード等の入力部５や図示していないが、筐体３内には、ＭＰＵ等の半導体集積素子を実装した回路基板が内蔵されている。また、筐体３には、表示部４に表示されたカーソルなどを移動させるマウス３ａが設けられており、さらには、筐体３の前端面には光ディスク装置６が出没自在に設けられている。
【０００４】
筐体２と筐体３はヒンジなどの手段にて互いに回動自在に結合されており、筐体２の表示部４と筐体３の入力部５，マウス３ａ等が設けられている部分とを当接あるいは極めて近接して対向させることで、非常にコンパクトになり、持ち運びしやすくなる。
【０００５】
光ディスク装置６に設けられたボタン７を押下すると、図１０に示すように光ディスクを回転させるスピンドルモータ８や後述する光ディスク１１に光を照射することで、光ディスク１１に情報を書き込む動作かあるいは光ディスク１１から情報を読み出す動作の少なくとも一方を行う光ピックアップ部９等を搭載したトレイ１０が筐体３の前面方向に飛び出してくる。そして、図１１に示すように、光ディスク１１をスピンドルモータ８に装着して、手動でトレイ１０を筐体３中に押し込んで、情報の読みあるいは書き込みを行っていた。
【０００６】
しかしながら上記構成では、光ディスク１１をスピンドルモータ８に装着する際に、トレイ１０に大きな下向きの力を加えると変形してしまうことがあり、その変形を防ぐために、各部材に強度の強い材料を用いなければならなかったり、各部材の厚みなども厚くしなければならずどうしても光ディスク装置６自体の厚みが厚くなっており、電子機器１の更なる薄型化を実現することは困難であった。
【０００７】
そこで、図１２，図１３に示すように、筐体３に回動自在に結合されマウス３ａを一体に設けた蓋部１２を設け、この蓋部１２を上方に向かって回動させることで、光ディスク装置１５を表出させ、その光ディスク装置１５に設けられたスピンドルモータ１４に光ディスク１１を装着し、光ピックアップ部９によって光ディスク１１に情報の記録あるいは再生動作を行っていた。
【０００８】
他の先行例としては、（特許文献１）がある。
【０００９】
【特許文献１】
特開平８−１７１７８６号公報
【００１０】
【発明が解決しようとする課題】
しかしながら、前記従来の構成では、軽量化や薄型化を実現できるものの、蓋部１２を解放して、光ディスク装置１５を表出させ、光ディスク１１を装着する場合に、蓋部１２を大きく解放しなければならないので、光ディスク１１の装着の際にこの蓋部１２が作業などの邪魔になる可能性がある。また、光ディスク１１の脱着の際に蓋部１２を大きく広げる必要があるので、脱着時の省スペース化が困難である。
【００１１】
本発明は、上記従来の課題を解決するもので、光ディスクを装着する際に、部材の変移量が少なくても容易に光ディスクの装着／脱着が可能な電子機器を提供することを目的とする。
【００１２】
【課題を解決するための手段】
本発明は、筐体と、筐体から出没自在に設けられ光ディスクの挿入口を備えた光ディスク挿入部と、筐体に固定され光ディスク挿入部に挿入された光ディスクを回転させる回転手段と、筐体に移動自在に設けられ光ディスクに光を照射することによって情報を記録するか再生の少なくとも一方を行う光ピックアップ部とを備え、光ディスク挿入部を筐体から突出させた状態で光ディスクを挿入し、ディスク挿入部が筐体に収納された後に、光ディスクは回転手段に装着される電子機器であって、光ディスク挿入部が筐体から突出した時にディスク挿入口が表出する構成とした。
【００１３】
【発明の実施の形態】
請求項１記載の発明は、筐体と、前記筐体から出没自在に設けられ光ディスクの挿入口を備えた光ディスク挿入部と、前記筐体に固定され前記光ディスク挿入部に挿入された光ディスクを回転させる回転手段と、前記筐体に移動自在に設けられ光ディスクに光を照射することによって情報を記録するか再生の少なくとも一方を行う光ピックアップ部とを備え、前記光ディスク挿入部を前記筐体から突出させた状態で光ディスクを挿入し、前記ディスク挿入部が前記筐体に収納された後に、光ディスクは前記回転手段に装着される電子機器であって、光ディスク挿入部が筐体から突出した時にディスク挿入口が表出することを特徴とする電子機器であり、部材を大きく突出させることなく光ディスクの脱着が用意で、しかも他の作業中に部材に手など接触することがなく、作業性を向上させることができ、しかも省スペース化を実現できる。
【００１４】
請求項２記載の発明は、筐体と、前記筐体から出没自在に設けられた光ディスク挿入部と、前記筐体に固定され前記光ディスク挿入部に挿入された光ディスクを回転させる回転手段と、前記筐体に移動自在に設けられ光ディスクに光を照射することによって情報を記録するか再生の少なくとも一方を行う光ピックアップ部とを備え、前記光ディスク挿入部を前記筐体から突出させた状態で光ディスクを挿入し、前記ディスク挿入部が前記筐体に収納された後に、光ディスクは前記回転手段に装着され、前記ディスク挿入部の最大の突出量は筐体の表面から７ｍｍ〜３２ｍｍとしたことを特徴とする電子機器であり、光ディスクの脱着の際に、大きく部材が突出しない構成なので、他の作業の邪魔になりにくく、しかも省スペース化を実現できる。
【００１５】
請求項３記載の発明は、ディスク挿入部のディスク挿入側と反対側において筐体に回動自在に取り付けられていることを特徴とする請求項１，２いずれか１記載の電子機器であり、ディスク挿入部の一部の部分が最大突出部となるので、更に作業性が向上し、光ディスク脱着の際の省スペース化を実現できる。
【００１６】
請求項４記載の発明は、筐体は、第１の筐体と第２の筐体を連結させて構成され、前記第１の筐体には表示部を設け、第２の筐体には光ディスク挿入部，所定のデータなどを入力する入力部，各部を制御する制御部を有した回路基板が設けられていることを特徴とする請求項１，２いずれか１記載の電子機器であって、持ち運び便利な例えばノートブックパソコンなどにおいても、光ディスク脱着時の省スペース化などをはかれる。
【００１７】
請求項５記載の発明は、光ディスク挿入部に第１の検知手段を設けるとともに、光ディスクを搬送する搬送手段とを備え、前記光ディスク挿入部に所定量光ディスクが挿入されたことを前記第１の検知手段にて検知すると、前記搬送手段にて光ディスクを前記光ディスク挿入部に収納することを特徴とする請求項１，２いずれか１記載の電子機器とすることで、ディスク挿入部において確実に光ディスクを所定の位置に格納できるので、スピンドルモータに光ディスクを確実に装着できる。
【００１８】
請求項６記載の発明は、筐体内に光ディスク挿入部を前記筐体から出没自在に移動させる移動手段を備え、光ディスクが前記光ディスク挿入部に所定の状態で挿入されたことを第２の検知手段で検知したときに、前記移動手段にて前記ディスク挿入部を前記筐体内に収納させることを特徴とする請求項５記載の電子機器であり、スピンドルモータや光ピックアップ部を大きく表出させなくても、光ディスクをスピンドルモータなどに確実に装着できる。
【００１９】
以下、本発明の実施の形態について説明する。
【００２０】
図１は本発明の一実施の形態における電子機器を示す斜視図であり、１は電子機器、２，３は筐体、４は表示部、５は入力部、３ａはマウスで、これは、従来に示す構成と同じである。
【００２１】
２０は回動自在に筐体３に取り付けられたディスク挿入部で、ディスク挿入部２０には、マウス３ａが設けられているが、このマウス３ａはディスク挿入部２０には必須ではない。図１に示されているようにディスク挿入部２０は筐体３に収納されている時は、ディスク挿入部２０の表面部２０ｃは筐体３の他の部分とほぼ平面を成すように収納されている。
【００２２】
図２に示すように、図示していないボタンやスイッチあるいは、入力部５からの入力によって、ディスク挿入部２０は所定量突出する。本実施の形態の場合、ディスク挿入部２０の後端部２０ａは筐体３に回動自在に軸支されており、所定の角度移動可能になっている。ディスク挿入部２０の前端部２０ｂは、最も筐体３の表面３ｂから突出している状態となる。前端部２０ｂ側には、光ディスク１１をベアの状態で挿入可能なスリット部２１が設けられており、スリット部２１は、ディスク挿入部２０が筐体３から突出した時に初めて表出するようになっている。すなわち、図１の様に、ディスク挿入部２０が筐体３から非突出の時には、スリット部２１は外部に表出せず、筐体３の前端部３ｃの内側面と対向している状態となっている。図３に示すように、このスリット部２１に光ディスク１１をベアの状態で手動あるいは自動で挿入し、所定の操作を行って、ディスク挿入部２０を所定角度回転させて筐体３に収納すると、後述するように、筐体３に設けられたスピンドルモータに光ディスク１１は装着され、直ちにあるいは所定時間経過後、光ピックアップ部によって、光ディスク１１に情報の記録かあるいは再生の少なくとも一方の動作を行う。
【００２３】
このように、本実施の形態では、筐体３に収納されたディスク挿入部２０が後端部２０ａを中心に上方に回動して前端部２０ｂが所定量突出して初めてスリット部２１が表出する構成としたので、ディスク挿入部２０の突出量が少なくても容易に光ディスク１１を挿入することができるので、従来の様に、光ディスク１１を装着したり脱着したりする際に、部材が大きく突出することを防止できるので、作業性が良くなる。
【００２４】
なお、様々な検討の結果、図３に示すようにディスク挿入部２０の最大の突出量Ｌは、７ｍｍ〜３２ｍｍ（好ましくは１０ｍｍ〜２３ｍｍ）とすることが、ディスク挿入作業や他の作業の邪魔にならない。すなわち、ディスク挿入部２０の最大突出量が７ｍｍより小さいと、光ディスク１１自体を挿入しにくく、最大突出量が３２ｍｍよりも大きいと、他の作業などの際に、手などが接触して、不具合が生じやすい。
【００２５】
以下、動作を含め更に、詳細な説明をする。
【００２６】
図４において、ディスク挿入部２０の前端部２０ｂには前端部２０ｂよりも内側に設けられた対向部２０ｄが設けられており、この対向部２０ｄに光ディスク１１の挿入口となるスリット部２１が設けられている。すなわち、対向部２０ｄと前端部２０ｂの間には双方を一体に結合させる中間部２０ｅが設けられている。対向部２０ｄは筐体３に収納された時には、筐体３の前端部３ｃと対向する構成となっており、この場合には、スリット部２１は外部に表出しない。
【００２７】
図４に示す状態は、ディスク挿入部２０を突出させた状態なので、スリット部２１は外部に表出している状態となっているので、光ディスク１１を挿入可能となっている。
【００２８】
また、ディスク挿入部２０にはスリット部２１に連続して、ディスク搬送路２０ｅが設けられており、スリット部２１から挿入された光ディスク１１はこのディスク搬送路２０ｅに少なくとも一部を保持されながら、ディスク挿入部２０に挿入されていく。また、本実施の形態の場合、スリット部２１の開口部から内部にいくに従って、次第にディスク搬送路の厚みに近づくようなテーパー形状とすることで、開口部分の面積を広く構成できるので、光ディスク１１の挿入が容易となる。
【００２９】
２２はディスク挿入部２０とは連動せず筐体３に対して固定されたスピンドルモータで、スピンドルモータ２２は光ディスク１１を一定あるいは可変的に回転させる。２３は筐体３に移動自在に固定され、挿入された光ディスク１１に光を照射し、情報の記録動作か再生動作の少なくとも一方を行う光ピックアップ部、２４はディスク挿入部２０とともに移動し挿入された光ディスク１１を確実にスピンドルモータ２２に装着させるディスククランパーである。
【００３０】
図４の様に、手動あるいは図示していない駆動装置などによって、ディスク挿入部２０が筐体３に収納された状態から、上方へ突出するとスリット部２１が表出し、このスリット部２１に光ディスク１１が挿入可能となる。
【００３１】
次に図５に示すように、光ディスク１１をスリット部２１を介してディスク搬送路２０ｅに挿入していく。本実施の形態では、後述するように所定量光ディスク１１をディスク搬送路２０ｅに挿入すると、図示していないセンサやスイッチによって光ディスク１１の挿入を感知し、ローディング機構によって、自動的に光ディスク１１をディスク挿入部２０に収納されていく（図６参照）。この時当然、光ディスク１１の挿入を検知するセンサやスイッチ及びローディング機構はディスク挿入部２０に搭載されている。なお、上述の様なローディング機構をディスク挿入部２０内に設けなくても手動で光ディスク１１を確実にディスク挿入部２０に収納する構成とすることで、ディスク挿入部２０の重量を軽くでき、軽量化を実現できる。
【００３２】
図６に示すように、ディスク挿入部２０に光ディスク１１が収納されると、矢印Ａ方向に手動で押下するか、あるいは図示していない駆動手段によって、自動的に矢印Ａ方向に移動し、図７に示されるように筐体３中にディスク挿入部２０が収納される。図示していない駆動手段によって、ディスク挿入部２０を筐体３に収納する場合には、光ディスク１１が所定の状態（確実に光ディスク１１がディスク挿入部２０に装着されている状態）になったことを上記センサやスイッチとは異なるセンサやスイッチで検知して、自動的に筐体３内にディスク挿入部２０は収納される。
【００３３】
筐体３内にディスク挿入部２０が収納されると、ディスククランパー２４によって、確実に光ディスク１１はスピンドルモータ２２に装着され、装着されて直ちにスピンドルモータ２２が回転して光ピックアップ部２３で情報の記録か再生の少なくとも一方の動作を行うか、あるいは、所定時間経過後、記録か再生の動作を行うか、さらには、筐体３に設けられた入力部５等の入力に従って記録か再生の動作を行う。
【００３４】
また、光ディスク１１を取り出す場合には、筐体３等に設けられたスイッチなどを動作させたり、あるいは筐体３の入力部５から所定の情報を入力することで、図示していない駆動手段などによって、図７に示すＢ方向にディスク挿入部２０が回動し、ディスク挿入部２０が所定量突出し、スリット部２１が表出する。なお、手動で光ディスク１１を取り出す場合には、例えば、図示していないロック機構のロックを解除して、手動で、図７に示すＢ方向にディスク挿入部２０を回動させる。
【００３５】
次に、ディスク挿入部２０の突出が完了したら、ディスク挿入部２０にローディング機構を搭載している場合には、光ディスク１１をディスク挿入部２０から所定量排出させる。手動の場合においては、ディスク挿入部２０が所定量突出した後に、ディスク挿入部２０にバネなどを用いた光ディスク１１を排出させる機構を搭載しておく。
【００３６】
次に、ディスク挿入部２０におけるローディング機構について説明する。
【００３７】
図８（ａ）に示すように、対向部２０ｄに設けられたスリット部２１から光ディスク１１を挿入すると、ディスク挿入部２０に設けられた一対のガイドレール２５，２６の間に案内されて収納されていく。すると、図８（ｂ）に示すように、図示していないスイッチやセンサによって、光ディスク１１の挿入を検知すると、引き込みアーム２７が支点２７ａを中心に図示していない駆動手段によって、内側に移動し、光ディスク１１をガイドレール２５，２６によって案内されてディスク挿入部２０内に収納されていく。図８（ｃ）に示すように光ディスク１１の中央の孔がスピンドルモータ２２と対向する位置まで、光ディスク１１が引き込みアーム２７にてディスク挿入部２０内に引き込まれると、図示していないスイッチやセンサなどによって検知し、引き込みアーム２７の駆動を停止させる。その後に上述の様に、ディスク挿入部２０を筐体３内に収納させることによって、ディスククランパー２４を用いて光ディスク１１を確実にスピンドルモータ２２に装着させる。
【００３８】
また、収納された光ディスク１１を取り出す場合には、まず、筐体３からディスク挿入部２０を筐体３から突出させる際に、ほぼ同時に光ディスク１１をスピンドルモータ２２から引き離し、その後に、イジェクト用アーム２８を支点２８ａを中心に図示していない駆動手段にて、外側方向に駆動させることによって、光ディスク１１が所定量スリット部２１から突出され、光ディスク１１を取り除く。
【００３９】
なお、実施の形態においては、筐体２，３を連結した電子機器すなわち、ノートブックパソコンを例に取って説明したが、特に筐体を分離した電子機器ではなく、筐体が一つの電子機器や、あるいは携帯電話などの携帯通信装置などにも適応可能である。
【００４０】
また、本実施の形態では、直径１２ｃｍの光ディスク１１を想定して、説明したが、直径が２ｃｍ〜１３ｃｍの光ディスク１１でも同様の構成で実現できるし、あるいは異なる径の光ディスクに対応するように構成しても良い。
【００４１】
また、光ディスク１１としては、再生専用の光ディスクや、追記型の光ディスクや、あるいは記録再生可能な光ディスクなど各種適応可能である。
【００４２】
更に、本実施の形態では、後端部２０ａ近傍に回動軸を設け、ディスク挿入部２０を回動自在保持し、前端部２０ｂ近傍の角部が最も突出するような構成としたが、表面部２０ｃの全面が同じ突出量となるようにディスク挿入部２０を突出させる構成としても良い。
【００４３】
また、本実施の形態では、対向部２０ｄにスリット部２１を備えて光ディスク１１の挿入口としたが、光ディスク１１が挿入可能なその他の開口でも良い。
【００４４】
【発明の効果】
本発明は、筐体と、筐体から出没自在に設けられ光ディスクの挿入口を備えた光ディスク挿入部と、筐体に固定され光ディスク挿入部に挿入された光ディスクを回転させる回転手段と、筐体に移動自在に設けられ光ディスクに光を照射することによって情報を記録するか再生の少なくとも一方を行う光ピックアップ部とを備え、光ディスク挿入部を筐体から突出させた状態で光ディスクを挿入し、ディスク挿入部が筐体に収納された後に、光ディスクは回転手段に装着される電子機器であって、光ディスク挿入部が筐体から突出した時にディスク挿入口が表出する構成としたことで、部材を大きく突出させることなく光ディスクの脱着が容易で、しかも他の作業中に部材に手など接触することがなく、作業性を向上させることができ、しかも省スペース化を実現できる。
【図面の簡単な説明】
【図１】本発明の一実施の形態における電子機器を示す斜視図
【図２】本発明の一実施の形態における電子機器を示す斜視図
【図３】本発明の一実施の形態における電子機器を示す斜視図
【図４】本発明の一実施の形態における電子機器を示す部分断面図
【図５】本発明の一実施の形態における電子機器を示す部分断面図
【図６】本発明の一実施の形態における電子機器を示す部分断面図
【図７】本発明の一実施の形態における電子機器を示す部分断面図
【図８】本発明の一実施の形態における電子機器の上面の透し状態を示す図
【図９】従来の電子機器を示す斜視図
【図１０】従来の電子機器を示す斜視図
【図１１】従来の電子機器を示す斜視図
【図１２】従来の電子機器を示す斜視図
【図１３】従来の電子機器を示す斜視図
【符号の説明】
１  電子機器
２，３  筐体
４  表示部
５  入力部
２０  ディスク挿入部
２１  スリット部
２２  スピンドルモータ
２３  光ピックアップ部
２５，２６  ガイドレール
２７  引き込みアーム
２８  イジェクト用アーム
【図１】
2004341907.tif 000003
【図２】
2004341907.tif 000004
【図３】
2004341907.tif 000005
【図４】
2004341907.tif 000006
【図５】
2004341907.tif 000007
【図６】
2004341907.tif 000008
【図７】
2004341907.tif 000009
【図８】
2004341907.tif 000010
【図９】
2004341907.tif 000011
【図１０】
2004341907.tif 000012
【図１１】
2004341907.tif 000013
【図１２】
2004341907.tif 000014
【図１３】
2004341907.tif 000015